(57)【要約】  連結式消防士用呼吸器は、互いに接続され、可撓性導管片を有する可撓性マニホールドに接続される複数の高分子製圧力容器を備える。圧力容器および可撓性導管片は、高強度繊維材料製ケースに収容される。圧力容器は、高強度弾道性リボン材料で被覆される。マニホールドは、高圧レギュレータおよび空気充填源のための接続部を備える。高圧レギュレータには低圧ホースが接続され、低圧ホースには低圧レギュレータが接続され、低圧レギュレータにはマウスピースが接続される。圧力容器収容器が、圧力容器，可撓性導管およびマニホールドをハーネスに取り付け、ハーネスは、腰部分と、上に延びて肩を超えて後ろから腰部分まで下がる２本の垂直なストラップを有する。実用ベルトが、ホース、電源、電子センサおよび制御装置を備える呼吸器用装備を装着する。【選択図】図１９
2013519496.tif 000002
【特許請求の範囲】
【請求項１】
連結式消防士用呼吸器であって、
複数の高分子製圧力容器が備えられ、該容器はそれぞれ、細長い筒状であり、第１の端部および第２の端部を有し、
前記第１の端部および前記第２の端部にはそれぞれ、可撓性導管片が取り付けられ、
前記可撓性導管片はそれぞれ、一方がシール部品に取り付けられ、もう一方の可撓性導管片が別の容器またはマニホールドに取り付けられ、
前記圧力容器はそれぞれ、少なくとも１つの別の圧力容器に前記可撓性導管片のうちの１つを介して取り付けられ、
前記圧力容器および前記可撓性導管片は、高強度繊維材料製ケースに収容され、
前記圧力容器は、高強度弾道性リボン材料で被覆され、
マニホールドが備えられ、該マニホールドは、前記圧力容器に接続される複数の可撓性導管片に接続され、
高圧レギュレータおよび空気充填源のための接続部を備え、
高圧レギュレータが備えられ、該高圧レギュレータには低圧ホースが接続され、前記低圧ホースには低圧レギュレータが接続され、前記低圧レギュレータにはマウスピースが接続され、
圧力容器収容器が備えられ、該収容器は、可撓性耐火性材料で形成され、前記複数の圧力容器、前記可撓性導管片および前記マニホールドを収容する寸法および形状であり、
前記収容器は、前記圧力容器、前記可撓性導管片および前記マニホールドの導入および取り外しのための閉鎖可能な開口を有し、少なくとも１つの低圧接続ホースを通過させて収容し、前記空気充填源へ接続するための寸法および形状をした開口を有し、
前記収容器は、ハーネスに取り外し可能に取り付けるための手段を有し、
ハーネスが備えられ、該ハーネスは、可撓性耐火性材料で形成され、固定具を有する腰部分、前記腰部分から上に延びる前部分を備え、該前部分は、前記腰部分に向かって下に延びる後部分に接続し、該後部分は、前記圧力容器収容器に取り外し可能に取り付ける手段を有する、
連結式消防士用呼吸器において、
前記ハーネスは、消防士の外服の上に縫い付けられ、前記圧力容器収容器は前記ハーネスに取り付けられ、前記マニホールドは前記高圧レギュレータに接続され、前記圧力容器は、前記空気充填源への前記接続部を介して空気を充填され、前記呼吸器は消防士が使用できる状態になる、
連結式消防士用呼吸器。
【請求項２】
さらに実用ベルトを備え、該実用ベルトは、前記呼吸器用の装備を収容するための装着手段、閉鎖手段を有し、前記ハーネスの下または上のいずれかに縫い付けられる、請求項１に記載の連結式消防士用呼吸器。
【請求項３】
前記実用ベルトはさらに、第２の低圧ホース、携帯型電力源、呼吸器用電子装置および前記高圧レギュレータのための装着手段を備える、請求項２に記載の連結式消防士用呼吸器。
【請求項４】
前記ハーネスの前記後部分は、前記呼吸器用の装備を収容するための装着手段を備える、請求項１に記載の連結式消防士用呼吸器。
【請求項５】
前記ハーネスの前記後部分は、可撓性装着面、第２の低圧ホース、携帯型電力源、呼吸器用電子装置および前記高圧レギュレータのための装着手段を備える、請求項４に記載の連結式消防士用呼吸器。
【請求項６】
高強度繊維材料は、レーヨン、ナイロン、ガラスまたはＫｅｖｌａｒ（登録商標）（アラミド）繊維からなる群から選択される、請求項１に記載の連結式消防士用呼吸器。
【請求項７】
前記高強度弾道性リボン材料は、プリプレグ炭素繊維またはプリプレグガラス繊維からなる群から選択される、請求項１に記載の連結式消防士用呼吸器。
【請求項８】
前記マニホールドは、細長い可撓性材料を備え、該細長い片は、前記可撓性導管片を前記圧力容器に接続するための複数の接続部、前記高圧レギュレータのための接続部および前記空気充填源のための接続部が設けられ、前記可撓性の細長い片により、前記マニホールドを消防士の背中に順応させることができる、請求項１に記載の連結式消防士用呼吸器。
【請求項９】
前記マニホールドはさらに、一体型高圧レギュレータを備える、請求項１に記載の連結式消防士用呼吸器。
【請求項１０】
前記高圧レギュレータは、低圧ホースのための第２の接続部を備え、該第２の接続部は、第２の消防士のための非常空気源を備える、請求項１に記載の連結式消防士用呼吸器。
【請求項１１】
前記高圧レギュレータは、高圧輸送口を備え、該高圧輸送口は、第２の消防士のための非常空気共用器具を備える、請求項１に記載の連結式消防士用呼吸器。
【請求項１２】
前記圧力容器収容器はさらに、閉鎖可能なサイドの開口を備え、該サイドの開口は、前記収容器の上端から、下端から第１の所定の距離だけ離れた点まで延び、サイド部分は開口していない状態に残され、前記開口していないサイド部分は、前記圧力容器および前記マニホールドが前記収容器から落下するのを防止するため、閉口しておく必要がある、請求項１に記載の連結式消防士用呼吸器。
【請求項１３】
前記高圧レギュレータは、高圧輸送ブロックであり、該高圧輸送ブロックは、圧力ゲージ、停止バルブを備える充填口、前記マニホールドへの高圧接続部、第２の消防士用呼吸器への高圧輸送接続部、低圧レギュレータおよびマウスピースに接続される低圧ホースのための低圧接続部、第２の消防士が使用するための第２の低圧接続部、リモート圧力ゲージ盤に接続される高圧ホースのための高圧接続部、および呼吸器用電子装置のための接続部を有する、請求項１に記載の連結式消防士用呼吸器。
【請求項１４】
前記呼吸器用電子装置は、任意の無呼吸アラーム、無動作アラーム、双方向無線、空気レベル警告ライトを発する頭上ディスプレイ、および低圧アラームを備える、請求項３に記載の連結式消防士用呼吸器。
【請求項１５】
前記呼吸器用電子装置は、任意の無呼吸アラーム、無動作アラーム、双方向無線、空気レベル警告ライトを発する頭上ディスプレイ、および低圧アラームを備える、請求項５に記載の連結式消防士用呼吸器。
【請求項１６】
さらに、リモート圧力ゲージ盤が備えられ、該リモート圧力ゲージ盤は、空気圧ゲージおよびアラーム作動インジケータを備える、請求項１に記載の連結式消防士用呼吸器。
【請求項１７】
さらに、空気圧ゲージを備え、該ゲージは、前記マニホールドに装着される、請求項１に記載の連結式消防士用呼吸器。
【請求項１８】
前記マニホールドはさらに、過圧防止装置を備える、請求項１に記載の連結式消防士用呼吸器。
【請求項１９】
前記圧力容器はそれぞれ、過圧防止装置を備える、請求項１に記載の連結式消防士用呼吸器。
【請求項２０】
前記高分子製圧力容器は、半球状端部を有するシームレスの筒状体に形成され、前記端部はそれぞれ、可撓性導管片に接続される中央の開口を有する、請求項１に記載の連結式消防士用呼吸器。
【請求項２１】
前記高分子製圧力容器は、２つのシェルからなる１対として形成され、該シェルは、互いに溶接され、２つの部分からなるリングアセンブリで補強される、請求項１に記載の連結式消防士用呼吸器。
【請求項２２】
さらに、前記圧力容器のための耐火性カバーを備える、請求項１に記載の連結式消防士用呼吸器。
【請求項２３】
前記耐火性カバーは、半分同士が対になる１対の片カバーを備え、該片カバーは、第１の側縁にヒンジで取り付けられ、第２の側縁に取り外し可能に固定される、請求項２２に記載の連結式消防士用呼吸器。
【請求項２４】
連結式消防士用呼吸器であって、
複数の高分子製圧力容器が備えられ、該容器はそれぞれ、細長い筒状であり、第１の端部および第２の端部を有し、
前記第１の端部および前記第２の端部にはそれぞれ、可撓性導管片が取り付けられ、
前記可撓性導管片はそれぞれ、一方がシール部品に取り付けられ、もう一方の可撓性導管片が別の容器またはマニホールドに取り付けられ、
前記圧力容器はそれぞれ、少なくとも１つの別の圧力容器に前記可撓性導管片のうちの１つを介して取り付けられ、
前記圧力容器および前記可撓性導管片は、高強度繊維材料製ケースに収容され、
前記圧力容器は、高強度弾道性リボン材料で被覆され、
マニホールドが備えられ、該マニホールドは、前記圧力容器に接続される複数の可撓性導管片に接続され、
高圧レギュレータおよび空気充填源のための接続部を備え、
高圧レギュレータが備えられ、該高圧レギュレータには低圧ホースが接続され、前記低圧ホースには低圧レギュレータが接続され、前記低圧レギュレータにはマウスピースが接続され、
防火服が備えられ、該防火服は、可撓性耐火性材料で形成され、後ポケットを有し、該前記後ポケットは、前記複数の圧力容器、前記可撓性導管片および前記マニホールドを収容する寸法および形状であり、
前記後ポケットは、前記複数の圧力容器、前記可撓性導管片および前記マニホールドの導入および取り外しのための閉鎖可能な上の開口を有し、前記高圧レギュレータおよび前記空気充填源の前記接続部のための下の開口を有し、
前記防火服は、前ポケットを有し、該前ポケットは、前記高圧レギュレータ、携帯型電力源、呼吸器用電子装置を内包する寸法および形状であり、
前記防火服の前パネルは、ゲージ盤のための装着点を有する、
連結式消防士用呼吸器において、
前記複数の圧力容器、前記可撓性導管片および前記マニホールドは、前記防火服の前記後ポケットに収容され、前記マニホールドは、前記高圧レギュレータに接続され、前記圧力容器は、前記空気充填源への前記接続部を介して空気を充填され、前記呼吸器は消防士が使用できる状態になる、
連結式消防士用呼吸器。
【請求項２５】
さらに、高圧輸送モジュールが備えられ、該輸送モジュールは、リモート圧力ゲージ盤への高圧接続部、前記高圧レギュレータへの高圧接続部、第２の消防士用呼吸器のための高圧輸送接続部、前記低圧レギュレータおよび前記マウスピースに接続される低圧ホースのための前記高圧レギュレータへの低圧接続部、第２の消防士が使用するための第２の低圧接続部、および呼吸器用電子装置のための接続部を備え、前記防火服は、前記高圧輸送モジュールを取り外し可能に包囲する寸法および形状をしたポケットを有する、請求項２４に記載の連結式消防士用呼吸器。
【請求項２６】
前記呼吸器用電子装置は、任意の無呼吸アラーム、無動作アラーム、双方向無線、空気レベル警告ライトを発する頭上ディスプレイ、および低圧アラームを備える、請求項２５に記載の連結式消防士用呼吸器。
【発明の詳細な説明】
【技術分野】
【０００１】
本発明は、携帯型呼吸システムの分野に関し、さらに詳細には、消防士が使用するように設計された呼吸装置に関する。
【背景技術】
【０００２】
消防士は、定期的に燃え盛る建物に進入して人命を救出し、資産を保護する。これらの建物は、通常大量の煙および／またはその他の有毒ガス成分を含んでいる。このような有害成分から消防士を防護するため、携帯型呼吸装置が開発されてきた。典型的には、これらの呼吸装置は、高圧金属シリンダ、このシリンダを取り付けるためのバックパック、シリンダに取り付けられる第１段階のレギュレータ、低圧ホースおよびマウスピースに取り付けられる第２段階のレギュレータを備える。このような装置は、比較的重くかさばる。このようなシステムは、燃え盛り崩壊しつつある構造で見られる建物の突起部分に引っ掛かりやすいため、消防士にとって危険になる可能性がある。さらに、金属製圧力シリンダの従来の使用法により、このような呼吸器は相当重く、消防士が過度に疲労する原因となる。さらに悪いのは、このような圧力シリンダは、極度の高温に曝露されると爆発するおそれがあり、過圧用安全装置が利かなくなってしまう。消防士用呼吸器の現在の設計は、消防士の背中に合っていないため、消防士が着るには剛性かつ不快でもある。これらの問題に対処するため、消防士が求める消防士用呼吸器および圧力容器の様々なデザインが開発されている。
【０００３】
Ｃｈｏｒｎｙｊによる米国特許第７，１５６，０９４号は、呼吸装置およびその圧力容器について記載されている。この装置は、使用者が着用する自給式ベストであり、服全体に流れる呼吸用空気を加圧したシリンダまたはフラスコを有する。ベストは、消防または非常時の空気供給が必要とされるその他の危険な環境など、多くの状況で使用できる。ベストには、相互接続された一連の高圧力容器が使用され、この容器は、内面をゴムまたはナイロンでコーティングし、外面をゴムまたはナイロンでコーティングした炭素繊維エポキシで作製される。容器を強化するため、Ｋｅｖｌａｒ（登録商標）などのカーボン複合糸で作製された紐の周りに重複層を縫い付けることができる。容器は、編組ステンレススチールケーブルで作製された、漁網に似た袋の中に入れることができる。ベストは、一連の容器を備え、これらの容器は、一連の第１段階のレギュレータ、およびベストの前で第２段階のレギュレータに接続するホースに相互接続される。ベストは、装置が消防に近い状況で使用できるように耐火性材料で作製することができる。高圧シリンダまたはフラスコは、ベストのポケットに入れられるが、装置の設計は、使用者に快適で使いやすいように柔軟性を維持している。高圧停止バルブと低圧バルブを有する第１段階のレギュレータとを組み合わせたものが、互いのシリンダまたはフラスコに取り付けられる。
【０００４】
Ｉｚｕｃｈｕｋｗｕらによる米国特許第６，５１３，５２２号は、加圧液体に対する着用可能な貯蔵システムについて記載されている。圧力容器は、様々な形状をした複数の高分子製中空チャンバで形成され、チャンバ同士の間の導管部分で相互接続される。圧力容器は、フィラメント被覆で補強される。容器には、流体の流れを制御するための流体輸送制御システムが取り付けられる。全体のシステムは、装置が携帯可能で、患者またはその他の使用者に必要なガスを供給できるように、着用可能な衣服に組み込まれる。チャンバの一例が、合成樹脂材料で成形されたシェルとして図示されており、このシェルは、超音波溶接装置または無線周波数エネルギー装置を用いて別のシェルに溶接できる。シェルの外側は、耐圧フィラメントで被覆され、このフィラメントに防護用の合成樹脂コーティングを施してもよい。シェルは、ブロー成形または射出成形のいずれかで成形でき、テフロンまたはフッ素エチレンなど、様々な材料を使用できる。耐圧フィラメントは、Ｋｅｖｌａｒ（登録商標）などの炭素繊維で作製できる。チューブ状コアの入口には、この中に入れるのに適した雄型部品を装着でき、このコアの後方端部には、この端部を封鎖するために中に入れる部品を備えることができる。これらの部品は、バルブまたはゲージと組み合わせて使用してもよい。個々のチャンバは、様々な長さの導管片を用いて空気が連通するように相互接続される。
【０００５】
Ｓｃｈｏｌｌｅｙによる米国特許第５，１２７，３９９号は、圧縮ガスを用いて使用するための可撓性収容器で、消防士などの使用者が着用する衣服の形態で使用できる容器について記載されている。記載のシステムでは、圧縮ガスを用いた呼吸装置の追加の例が挙げられ、圧力レギュレータ、デマンドフローレギュレータの例、および繊維の編組またはワインディングの使用例について述べられている。この文献は、圧縮ガスを用いて使用するための可撓性収容器について記載されており、消防士などの使用者が着用する衣服の形態で使用できる。この特許文献に記載されているシステムでは、圧縮ガスを用いた呼吸装置の追加の例が挙げられ、圧力レギュレータ、デマンドフローレギュレータの例、および繊維の編組またはワインディングの使用例ついて述べられている。
【０００６】
Ａｒｎｏｔｈによる米国特許第４，９６４，４０５号は、非常呼吸装置について記載されており、この装置は、ベストまたは危険な作業領域で使用するためにその他の衣服に組み入れるための加圧した呼吸用ガスを供給する、単純な軽量の自給式装置である。
【０００７】
Ｇａｒｏｆａｌｏに発行された米国特許第６，２２７，１９９号は、自給式呼吸装置のような装備に組み入れるための、低圧で使用する複数の供給器について記載されている。この供給器は、シリンダの第１段階の減圧弁に接続され、ジャケットに固定されるか組み入れられる。
【０００８】
消防士が使用するための小型の連結式携帯型呼吸システムを提供することが、本発明の目的である。  軽量で消防士の背中に順応するこのようなシステムを提供することが、もう１つの目的である。熱に曝露された際に爆発することのない高分子製圧力容器の使用が、本発明のさらにもう１つの目的である。制御した方法で圧力を分散する圧力容器を提供することが、さらにまたもう１つの目的である。最良の快適さを得るために、消防士の背中に順応する容器のマニホールドを提供することが、本発明の別の目的である。最後に、迅速に充填でき、持続性があり、製造コストが低いシステムを提供することが目的である。
【０００９】
本発明の目的のいくつかは、先行技術に開示されているが、発見されたどの発明も識別されるすべての要求を含んでいるわけではない。
【先行技術文献】
【特許文献】
【００１０】
【特許文献１】米国特許第７，１５６，０９４号
【特許文献２】米国特許第６，５１３，５２２号
【特許文献３】米国特許第５，１２７，３９９号
【特許文献４】米国特許第４，９６４，４０５号
【特許文献５】米国特許第６，２２７，１９９号
【発明の概要】
【発明が解決しようとする課題】
【００１１】
本発明は、先行技術に記載されている連結式消防士用呼吸器の発明に欠如しているあらゆる点を取り上げ、上記の目的すべてを満たすものである。
【課題を解決するための手段】
【００１２】
（１）所望の特徴を備える連結式消防士用呼吸器は、以下の構成要素から構成できる。複数の高分子製圧力容器が備えられる。それぞれの容器は、細長い筒状であり、第１の端部および第２の端部を有する。第１の端部および第２の端部にはそれぞれ、可撓性導管片２６が取り付けられる。可撓性導管片はそれぞれ、一方がシール部品に取り付けられ、もう一方の可撓性導管片が別の容器またはマニホールドに取り付けられる。圧力容器はそれぞれ、少なくとも１つの別の圧力容器に可撓性導管片のうちの１つを介して取り付けられる。圧力容器および可撓性導管片は、高強度繊維材料製ケースに収容される。圧力容器は、高強度弾道性リボン材料で被覆される。マニホールドが備えられる。マニホールドは、圧力容器に接続される複数の可撓性導管片に接続される。マニホールドは、高圧レギュレータおよび空気充填源のための接続部を備える。高圧レギュレータが備えられ、高圧レギュレータには低圧ホースが接続される。低圧ホースには低圧レギュレータが接続され、低圧レギュレータにはマウスピースが接続される。高圧レギュレータは、およそ０〜６０００ｐｓｉに及ぶ容器の圧力を管理する。低圧レギュレータは、およそ１００〜１５０ｐｓｉの圧力を管理する。圧力容器収容器が備えられる。収容器は、可撓性耐火性材料で形成され、複数の圧力容器、可撓性導管片および  マニホールドを収容する寸法および形状である。  収容器は、圧力容器、可撓性導管片および  マニホールドの導入および取り外しのための閉鎖可能な開口を有する。収容器は、少なくとも１つの低圧ホースを通過させて収容し、空気充填源へ接続するための寸法および形状をした開口を有する。収容器は、ハーネスに取り外し可能に取り付けるための手段を有する。ハーネスが備えられる。ハーネスは、可撓性耐火性材料で形成され、固定具を有する腰部分、腰部分から上に延びる前部分を備え、前部分は、腰部分に向かって下に延びる後部分に接続する。後部分は、圧力容器収容器に取り外し可能に取り付ける手段を有する。
【００１３】
ハーネスは、消防士の外服の上に縫い付けられ、圧力容器収容器はハーネスに取り付けられ、マニホールドは高圧レギュレータに接続され、圧力容器は空気充填源への接続部を介して空気を充填され、呼吸器は消防士が使用できる状態になる。
【００１４】
（２）本発明の一変形例では、実用ベルトが備えられる。実用ベルトは、前記呼吸器用の装備を収容するための装着手段、閉鎖手段を有し、ハーネスの下または上のいずれかに縫い付けられる。
【００１５】
（３）別の変形例では、実用ベルトは、第２の低圧ホース、携帯型電力源、呼吸器用電子装置および前記高圧レギュレータのための装着手段を備える。
【００１６】
（４）さらに別の変形例では、ハーネスの後部分は、前記呼吸器用の装備を収容するための装着手段を備える。
【００１７】
（５）さらにまた別の変形例では、ハーネスの後部分は、可撓性装着面、第２の低圧ホース、携帯型電力源、呼吸器用電子装置および前記高圧レギュレータのための装着手段を備える。
【００１８】
（６）もう１つの変形例では、高強度繊維材料は、レーヨン、ナイロン、ガラスまたはＫｅｖｌａｒ（登録商標）（アラミド）繊維からなる群から選択される。
【００１９】
（７）さらにもう１つの変形例では、高強度弾道性リボン材料は、プリプレグ炭素繊維またはプリプレグガラス繊維からなる群から選択される。
【００２０】
（８）別の変形例では、マニホールドは、細長い可撓性材料を備える。細長い片は、可撓性導管片を圧力容器に接続するための複数の接続部、高圧レギュレータのための接続部および空気充填源のための接続部が設けられる。可撓性細長い片により、マニホールドを消防士の背中に順応させることができる。
【００２１】
（９）さらに別の変形例では、マニホールドは、一体型高圧レギュレータを備える。
【００２２】
（１０）もう１つの変形例では、高圧レギュレータは、低圧ホースのための第２の接続部を備える。第２の接続部は、第２の消防士のための非常空気源を備える。
【００２３】
（１１）さらにもう１つの変形例では、高圧レギュレータは、高圧輸送口を備える。高圧輸送口は、第２の消防士のための非常空気共用器具を備える。
【００２４】
（１２）さらにまたもう１つの変形例では、圧力容器収容器はさらに、閉鎖可能なサイドの開口を備える。サイドの開口は、収容器の上端から、下端から第１の所定の距離だけ離れた点まで延び、サイド部分は開口していない状態に残される。開口していないサイド部分は、圧力容器および  マニホールドが収容器から落下するのを防止するため、閉口しておく必要がある。
【００２５】
（１３）さらに別の変形例では、高圧レギュレータは、高圧輸送ブロックである。高圧輸送ブロックは、圧力ゲージ、停止バルブを備える充填口、マニホールドへの高圧接続部、第２の消防士用呼吸器への高圧輸送接続部、低圧レギュレータ５８およびマウスピース６２に接続される低圧ホースのための低圧接続部、第２の消防士が使用するための第２の低圧接続部２７０、リモート圧力ゲージ盤に接続される高圧ホースのための高圧接続部、および呼吸器用電子装置のための接続部を有する。
【００２６】
（１４）さらにまた別の変形例では、呼吸器用電子装置は、任意の無呼吸アラーム、無動作アラーム、双方向無線、空気レベル警告ライトを発する頭上ディスプレイ、および低圧アラームを備える。
【００２７】
（１５）別の変形例では、呼吸器用電子装置は、任意の無呼吸アラーム、無動作アラーム、双方向無線、空気レベル警告ライトを発する頭上ディスプレイ、および低圧アラームを備える。
【００２８】
（１６）もう１つの変形例では、リモート圧力ゲージ盤が備えられる。リモート圧力ゲージ盤は、空気圧ゲージおよびアラーム作動インジケータを備える。
【００２９】
（１７）さらにもう１つの変形例では、連結式消防士用呼吸器は、マニホールドに装着される空気圧ゲージを備える。
【００３０】
（１８）さらにまたもう１つの変形例では、マニホールドは、過圧防止装置を備える。
【００３１】
（１９）本発明の別の変形例では、圧力容器はそれぞれ、過圧防止装置を備える。
【００３２】
（２０）さらに別の変形例では、高分子製圧力容器は、半球状端部を有するシームレスの筒状体に形成される。端部はそれぞれ、可撓性導管片に接続される中央の開口を有する。
【００３３】
（２１）さらにまた別の変形例では、高分子製圧力容器は、２つのシェルからなる１対として形成される。両シェルは、互いに溶接され、２つの部分からなるリングアセンブリで補強される。
【００３４】
（２２）もう１つの変形例では、連結式消防士用呼吸器は、圧力容器のための耐火性カバーを備える。
【００３５】
（２３）本発明のさらにもう１つの変形例では、耐火性カバーは、半分同士が対になる１対の片カバーを備える。片カバーは、第１の側縁にヒンジで取り付けられ、第２の側縁に取り外し可能に固定される。
【００３６】
（２４）さらにまたもう１つの変形例では、連結式消防士用呼吸器は、複数の高分子製圧力容器を備える。それぞれの容器は、細長い筒状であり、第１の端部および第２の端部を有する。第１の端部および第２の端部にはそれぞれ、可撓性導管片が取り付けられる。可撓性導管片はそれぞれ、一方がシール部品に取り付けられ、もう一方の可撓性導管片が別の容器またはマニホールドに取り付けられる。圧力容器はそれぞれ、少なくとも１つの別の圧力容器に可撓性導管片のうちの１つを介して取り付けられる。圧力容器および  可撓性導管片は、高強度繊維材料製ケースに収容される。圧力容器は、高強度弾道性リボン材料で被覆される。
【００３７】
マニホールドが備えられる。マニホールドは、圧力容器に接続される複数の可撓性導管片に接続される。マニホールドは、高圧レギュレータおよび空気充填源のための接続部を備える。高圧レギュレータが備えられる。高圧レギュレータには低圧ホースが接続される。低圧ホースには低圧レギュレータが接続され、低圧レギュレータにはマウスピースが接続される。防火服が備えられる。防火服は、可撓性耐火性材料で形成され、後ポケットを有する。後ポケットは、複数の圧力容器、可撓性導管片および  マニホールドを収容する寸法および形状である。後ポケットは、複数の圧力容器、可撓性導管片および  マニホールドの導入および取り外しのための閉鎖可能な上の開口を有する。後ポケットは、高圧レギュレータおよび  空気充填源の接続部のための下の開口を有する。防火服は、前ポケットを有する。前ポケットは、高圧レギュレータ、携帯型電力源、呼吸器用電子装置を内包する寸法および形状である。防火服の前パネルは、ゲージ盤のための装着点を有する。複数の圧力容器、可撓性導管片および  マニホールドは、防火服の後ポケットに収容される。マニホールドは、高圧レギュレータに接続され、圧力容器は、空気充填源への接続部を介して空気を充填され、呼吸器は消防士が使用できる状態になる。
【００３８】
（２５）別の変形例では、高圧輸送モジュールが備えられる。輸送モジュールは、リモート圧力ゲージ盤への高圧接続部、高圧レギュレータへの高圧接続部、第２の消防士用呼吸器のための高圧輸送接続部、低圧レギュレータおよびマウスピースに接続される低圧ホースのための高圧レギュレータへの低圧接続部  、第２の消防士が使用するための第２の低圧接続部、および呼吸器用電子装置のための接続部を備える。防火服は、高圧輸送モジュールを取り外し可能に包囲する寸法および形状をしたポケットを有する。
【００３９】
（２６）本発明の最後の変形例では、呼吸器用電子装置は、任意の無呼吸アラーム、無動作アラーム、双方向無線、空気レベル警告ライトを発する頭上ディスプレイ、および低圧アラームを備える。
【００４０】
本発明のその他の狙いおよび目的の評価ならびにその理解は、添付の図面および好適な実施形態についての詳細な記載を読むことで達成することができる。
【図面の簡単な説明】
【００４１】
【図１】柔軟に接合した圧力容器、マニホールド、圧力容器収容器および低圧ホースを示す、本発明の好適な実施形態の一部切り欠き側立面図である。
【図２】図１の実施形態のハーネスおよびゲージ盤を取り付けた、消防士の防火服の正面図である。
【図３】図１の実施形態のマウスピースおよびフェイスシールドの斜視図である。
【図４】本発明の代替実施形態のハーネスおよび実用ベルトを取り付けた、消防士の防火服の背面図である。
【図５】高圧レギュレータ、携帯型電力源、呼吸器用電子装置、第２の低圧ホースならびにゲージ盤およびアラーム用の締め具を示す、図４の実施形態の実用ベルトの詳細図である。
【図６】ハーネスに取り付けた圧力容器収容器を備える、消防士の防火服の背面図である。
【図７】ゲージおよび過圧防止装置を取り付けた、固定したマニホールドの斜視図である。
【図７Ａ】空気充填源用接続部を示す、固定したマニホールドの部分斜視図である。
【図８】高圧レギュレータ用接続部を有する可撓性マニホールドの斜視図である。
【図９】一体型高圧レギュレータを有する可撓性マニホールドの斜視図である。；
【図１０】過圧防止装置を示す、柔軟に接合した２つの圧力容器の一部切り欠き側立面図である。
【図１１】呼吸器用のハードウェアおよび電子装置に対する一体型収容器を有するハーネスを取り付けた代替実施形態を備える消防士の防火服の背面図である。
【図１２】ヒンジを取り付けた耐火性カバー内に配置される、本発明の３つの圧力容器の実施形態の一部切り欠き側立面図である。
【図１３】２つの部分からなる圧力容器の溶着前の半分が複数ある様子を示す側立面図である。
【図１４】線１４−１４に沿って切断した図１３の圧力容器の断面図である。
【図１５】アセンブリを取り付ける前の２つの部分からなるリングアセンブリを有する、図１３の圧力容器の部分図である。
【図１６】アセンブリを取り付けた後の２つの部分からなるリングアセンブリを有する、図１３の圧力容器の部分図である。
【図１７】２つの部分からなるリングアセンブリを有する図１３の圧力容器の側立面図である。
【図１８】柔軟に接合した圧力容器およびマニホールドを後ポケットに搭載する様子を示す、一体型ポケットを有する防火服の背面図である。
【図１９】柔軟に接合した圧力容器およびマニホールドが閉鎖された後ポケット内にある様子を示す、一体型ポケットを有する防火服の背面図である。
【図２０】高圧輸送モジュールならびにマニホールドおよび高圧／低圧レギュレータへの接続部を示す、一体型ポケットを有する防火服の正面図である。
【発明を実施するための形態】
【００４２】
（１）図１から図２０は、以下の構成要素から構成することができる所望の特徴を備える、連結式消防士用呼吸器１０を示す。図１に示すように、複数の高分子製圧力容器１４が備えられる。それぞれの容器１４は、細長い筒状であり、第１の端部１８および第２の端部２２を有する。第１の端部１８および第２の端部２２にはそれぞれ、可撓性導管片２６が取り付けられる。可撓性導管片２６はそれぞれ、一方がシール部品３０に取り付けられ、もう一方の可撓性導管片２６が別の容器１４またはマニホールド３４に取り付けられる。圧力容器１４はそれぞれ、少なくとも１つの別の圧力容器１４に可撓性導管片２６のうちの１つを介して取り付けられる。圧力容器１４および可撓性導管片２６は、高強度繊維材料３８のケースに収容される。圧力容器１４は、高強度弾道性リボン材料４２で被覆される。マニホールド３４が備えられる。マニホールド３４は、圧力容器１４に接続される複数の可撓性導管片２６に接続される。マニホールド３４は、高圧レギュレータ４６のための接続部３６、４０、および空気充填源（図示せず）を備える。図４および図５に示すように、高圧レギュレータ４６が備えられ、高圧レギュレータ４６には低圧ホース５４が接続される。低圧ホース５４には低圧レギュレータ５８が接続され、低圧レギュレータ５８にはマウスピース６２が接続される。高圧レギュレータ４６は、およそ０〜６０００ｐｓｉに及ぶ容器の圧力を管理する。低圧レギュレータ５８は、およそ１００〜１５０ｐｓｉの圧力を管理する。
【００４３】
図１に示すように、圧力容器収容器６６が備えられる。収容器６６は、可撓性耐火性材料７０で形成され、複数の圧力容器１４、可撓性導管片２６および  マニホールド３４を収容する寸法および形状である。  収容器６６は、圧力容器１４、可撓性導管片２６および  マニホールド３４の導入および取り外しのための閉鎖可能な開口７４を有する。収容器６６は、少なくとも１つの低圧ホース５４を通過させて収容し、空気充填源へ接続するための寸法および形状をした開口７８、８２を有する。収容器は、ハーネス９４に取り外し可能に取り付けるための手段９０を有する。図２、図４、図６および図１１に示すように、ハーネス９４が備えられる。ハーネス９４は、固定具１０２を有する腰部分９８、腰部分９８から上に延びる前部分１０６を備え、前部分は、腰部分９８に向かって下に延びる後部分１１４に接続する。後部分１１４は、圧力容器収容器６６に取り外し可能に取り付ける手段９０を有する。
【００４４】
ハーネス９４は、消防士（図示せず）の外服１１８の上に縫い付けられ、圧力容器収容器６６はハーネス９４に取り付けられ、マニホールド３４は高圧レギュレータ４６に接続され、圧力容器１４は空気充填源への接続部を介して空気を充填され、呼吸器１０は消防士が使用できる状態になる。
【００４５】
（２）本発明の一変形例では、図４および図５に示すように、実用ベルト１２６が備えられる。実用ベルト１２６は、前記呼吸器１０用の装備を収容するための装着手段１３０、閉鎖手段１３４を有し、ハーネス９４の下または上のいずれかに縫い付けられる。
【００４６】
（３）別の変形例では、実用ベルト１２６は、第２の低圧ホース１３８、携帯型電力源１４２、呼吸器用電子装置１４６および前記高圧レギュレータ４６のための装着手段１５０を備える。
【００４７】
（４）さらに別の変形例では、図１１に示すように、ハーネス９４の後部分１１４は、前記呼吸器１０用の装備を収容するための装着手段１５４を備える。
【００４８】
（５）さらにまた別の変形例では、ハーネス９４の後部分１１４は、可撓性装着面１５８、第２の低圧ホース１６２、携帯型電力源１６６、呼吸器用電子装置１７０および前記高圧レギュレータ４６用の装着手段１７４を備える。
【００４９】
（６）もう１つの変形例では、高強度繊維材料３８は、レーヨン、ナイロン、ガラスまたはＫｅｖｌａｒ（登録商標）繊維（アラミド）からなる群から選択される。
【００５０】
（７）さらにもう１つの変形例では、高強度弾道性リボン材料４２は、プリプレグ炭素繊維またはプリプレグガラス繊維からなる群から選択される。
【００５１】
（８）さらに別の変形例では、図７から図９に示すように、マニホールド３４は、細長い可撓性材料１７８を備える。細長い片１７８は、可撓性導管片２６を圧力容器１４に接続するための複数の接続部１８２、高圧レギュレータ４６のための接続部１８６および空気充填源のための接続部１９０が設けられる。可撓性の細長い片１７８により、マニホールド３４を消防士の背中（図示せず）に順応させることができる。
【００５２】
（９）さらにまた別の変形例では、図９に示すように、マニホールド３４は、一体型高圧レギュレータ１９８を備える。
【００５３】
（１０）もう１つの変形例では、図５に示すように、高圧レギュレータ４６は、低圧ホース５４のための第２の接続部２０２を備える。第２の接続部２０２は、第２の消防士（図示せず）のための非常空気源を備える。
【００５４】
（１１）さらにもう１つの変形例では、高圧レギュレータ４６は、高圧輸送口２１０を備える。高圧輸送口２１０は、第２の消防士のための非常空気共用器具を備える。
【００５５】
（１２）さらにまたもう１つの変形例では、図１に示すように、圧力容器収容器６６はさらに、閉鎖可能なサイドの開口２１４を備える。サイドの開口２１４は、収容器６６の上端２１８から、下端２２６から第１の所定の距離２３０だけ離れた点２２２まで延び、サイド部分２３４は開口していない状態にしておく。開口していないサイド部分２３４は、圧力容器１４および  マニホールド３４が収容器６６から落下するのを防止するため、閉口しておく必要がある。
【００５６】
（１３）さらに別の変形例では、図４および図５に示すように、高圧レギュレータ４６は、高圧輸送ブロック２３８である。高圧輸送ブロック２３８は、圧力ゲージ２４２、停止バルブ２５０を備える充填口２４６、マニホールド３４への高圧接続部２５４、第２の消防士用呼吸器（図示せず）への高圧輸送接続部２１０、低圧レギュレータ５８およびマウスピース６２に接続される低圧ホース５４のための低圧接続部２６６、第２の消防士が使用するための第２の低圧接続部２０２、リモート圧力ゲージ盤２８２に接続される高圧ホース２７８のための高圧接続部２７４、および呼吸器用電子装置１４６のための接続部を有する。
【００５７】
（１４）さらにまた別の変形例では、図３および図４に示すように、呼吸器用電子装置１４６は、任意の無呼吸アラーム２８６、無動作アラーム２９０、双方向無線２９４、空気レベル警告ライト３０２を発する頭上ディスプレイ２９８、および低圧アラーム３０６を備える。
【００５８】
（１５）別の変形例では、呼吸器用電子装置１４６は、任意の無呼吸アラーム２８６、無動作アラーム２９０、双方向無線２９４、空気レベル警告ライト３０２を発する頭上ディスプレイ２９８、および低圧アラーム３０６を備える。
【００５９】
（１６）もう１つの変形例では、図５に示すように、リモート圧力ゲージ盤２８２が備えられる。リモート圧力ゲージ盤２８２は、空気圧ゲージ３１０およびアラーム作動インジケータ３１４を備える。
【００６０】
（１７）さらにもう１つの変形例では、図７に示すように、連結式消防士用呼吸器１０は、マニホールド３４に装着される空気圧ゲージ３１８を備える。
【００６１】
（１８）さらにまたもう１つの変形例では、マニホールド３４は、過圧防止装置３２２を備える。
【００６２】
（１９）本発明の別の変形例では、図１０に示すように、圧力容器１４はそれぞれ、過圧防止装置３２６を備える。
【００６３】
（２０）さらに別の変形例では、高分子製圧力容器１４は、半球状端部３３４を有するシームレスの筒状体３３０に形成される。端部３３４はそれぞれ、可撓性導管片２６に接続される中央の開口３３８を有する。
【００６４】
（２１）さらにまた別の変形例では、図１３から図１７に示すように、高分子製圧力容器１４は、２つのシェル３４２からなる１対として形成される。両シェル３４２は、互いに溶接され、２つの部分からなるリングアセンブリ３４６で補強される。
【００６５】
（２２）もう１つの変形例では、図１２に示すように、連結式消防士用呼吸器１０は、圧力容器１４のための耐火性カバー３５０を備える。
【００６６】
（２３）本発明のさらにもう１つの変形例では、図１２に示すように、耐火性カバー３５０は、半分同士が対になる１対の片カバー３５４を備える。片カバー３５４は、第１の側縁３５８にヒンジで取り付けられ、第２の側縁３６２に取り外し可能に固定される。
【００６７】
（２４）さらにまたもう１つの変形例では、図１に示すように、連結式消防士用呼吸器１０は、複数の高分子製圧力容器１４を備える。それぞれの容器１４は、細長い筒状であり、第１の端部１８および第２の端部２２を有する。第１の端部１８および第２の端部２２にはそれぞれ、可撓性導管片２６が取り付けられる。可撓性導管片２６はそれぞれ、一方がシール部品３０に取り付けられ、もう一方の可撓性導管片２６が別の容器１４またはマニホールド３４に取り付けられる。圧力容器１４はそれぞれ、少なくとも１つの別の圧力容器１４に可撓性導管片２６のうちの１つを介して取り付けられる。圧力容器１４および可撓性導管片２６は、高強度繊維材料３８のケースに収容される。圧力容器１４は、高強度弾道性リボン材料４２で被覆される。
【００６８】
マニホールド３４が備えられる。マニホールド３４は、圧力容器１４に接続される複数の可撓性導管片２６に接続される。マニホールド３４は、高圧レギュレータ４６のための接続部３６、４０、および空気充填源（図示せず）を備える。高圧レギュレータ４６が備えられる。高圧レギュレータ４６には低圧ホース５４が接続される。低圧ホース５４には低圧レギュレータ５８が接続され、低圧レギュレータ５８にはマウスピース６２が接続される。図１８および図１９に示すように、防火服３６６が備えられる。防火服３６６は、可撓性耐火性材料３７０で形成され、後ポケット３７４を有する。後ポケット３７４は、複数の圧力容器１４、可撓性導管片２６および  マニホールド３４を収容する寸法および形状である。後ポケット３７４は、複数の圧力容器１４、可撓性導管片２６および  マニホールド３４の導入および取り外しのための閉鎖可能な上の開口３７８を有する。後ポケット３７４は、高圧レギュレータ４６および  空気充填源の接続部のための下の開口３８２、３８６を有する。図２０に示すように、防火服３６６は、前ポケット３９０を有する。前ポケット３９０は、高圧レギュレータ４６、携帯型電力源１４２および呼吸器用電子装置１７０を内包する寸法および形状である。防火服３６６の前パネル３９４は、ゲージ盤２８２のための装着点３９８を有する。複数の圧力容器１４、可撓性導管片２６および  マニホールド３４は、防火服３６６の後ポケット３７４に収容される。マニホールド３４は、高圧レギュレータ４６に接続され、圧力容器１４は、空気充填源への接続部４０を介して空気を充填され、呼吸器１０は消防士が使用できる状態になる。
【００６９】
（２５）別の変形例では、高圧輸送モジュール４０２が備えられる。輸送モジュール４０２は、リモート圧力ゲージ盤２８２への高圧接続部２７４、高圧レギュレータ４６への高圧接続部４０６、第２の消防士用呼吸器（図示せず）のための高圧輸送接続部２１０、低圧レギュレータ５８およびマウスピース６２に接続される低圧ホース５４のための高圧レギュレータ４６への低圧接続部２６６  、第２の消防士が使用するための第２の低圧接続部２０２、および呼吸器用電子装置１４６のための接続部を備える。防火服３６６は、高圧輸送モジュール４０２を取り外し可能に包囲する寸法および形状をしたポケット４１０を有する。
【００７０】
（２６）本発明の最後の変形例では、呼吸器用電子装置１７０は、任意の無呼吸アラーム２８６、無動作アラーム２９０、双方向無線２９４、空気レベル警告ライト３０２を発する頭上ディスプレイ２９８、および低圧アラーム３０６を備える。
【００７１】
本連結式消防士用呼吸器１０を、特定の実施形態に沿って説明してきた。以下の特許請求の範囲の精神および範囲を逸脱しないかぎり、その他の修正および改良を加えてもよい。
【図１】
2013519496.tif 000003
【図２】
2013519496.tif 000004
【図３】
2013519496.tif 000005
【図４】
2013519496.tif 000006
【図５】
2013519496.tif 000007
【図６】
2013519496.tif 000008
【図７】
2013519496.tif 000009
【図７Ａ】
2013519496.tif 000010
【図８】
2013519496.tif 000011
【図９】
2013519496.tif 000012
【図１０】
2013519496.tif 000013
【図１１】
2013519496.tif 000014
【図１２】
2013519496.tif 000015
【図１３】
2013519496.tif 000016
【図１４】
2013519496.tif 000017
【図１５】
2013519496.tif 000018
【図１６】
2013519496.tif 000019
【図１７】
2013519496.tif 000020
【図１８】
2013519496.tif 000021
【図１９】
2013519496.tif 000022
【図２０】
2013519496.tif 000023
【国際調査報告】
2013519496.tif 000024
2013519496.tif 000025